(57)【要約】【課題】本発明は、折りたたみ式の車輪部を有する運搬車を簡易な作業で安全に収納槽へ搬入または収容槽から搬出することができる運搬車収納装置の提供を目的とする。【解決手段】この発明の運搬車収納装置１は、折りたたみ可能な車輪部７を有する運搬車２を車輪部７が折りたたまれた状態で収納し運搬車２を出し入れするための開口部４を有する収納槽３と、収納槽３の開口部４に設けられた扉６と、開口部４近傍に設けられ運搬車２の傾斜を防止する傾斜防止装置１１とを備え、前記傾斜防止装置１１は収納槽３外へ突出して運搬車２を支持する第一の位置と、収納槽３内の第二の位置に移動可能なものであることを特徴とする。【選択図】図１
2005022635.tif 000002
【特許請求の範囲】
【請求項１】
折りたたみ可能な車輪部を有する運搬車を車輪部が折りたたまれた状態で収納し運搬車を出し入れするための開口部を有する収納槽と、収納槽の開口部に設けられた扉と、開口部近傍に設けられ運搬車の傾斜を防止する傾斜防止装置とを備え、前記傾斜防止装置は収納槽外へ突出して運搬車を支持する第一の位置と、収納槽内の第二の位置に移動可能なものであることを特徴とする運搬車収納装置。
【請求項２】
運搬車に接触して運搬車の収納槽外への移動を妨げる停止装置と、前記停止装置と前記傾斜防止装置を連結する連結手段を有し、停止装置を解除するのに連動して前記傾斜防止装置が第二の位置から第一の位置に移動することを特徴とする、請求項１に記載の運搬車収納装置。
【請求項３】
折りたたみ可能な車輪部を有する運搬車を車輪部が折りたたまれた状態で収納し前記運搬車の積載物を滅菌処理し運搬車を出し入れするための開口部を有する収納槽と、収納槽の開口部に設けられた扉と、開口部近傍に設けられ運搬車の傾斜を防止する傾斜防止装置と、運搬車に接触して収納槽外への運搬車の移動を妨げる停止装置と、前記停止装置と前記傾斜防止装置を連結する連結手段を備え、前記傾斜防止装置は収納槽外へ突出して運搬車を支持する第一の位置と、収納槽内の第二の位置に移動可能なものであり、停止装置を解除するのに連動して前記傾斜防止装置が第二の位置から第一の位置に移動することを特徴とする滅菌装置。
【発明の詳細な説明】
【技術分野】
【０００１】
本発明は、車輪部を折りたたんだ状態で運搬車を収納槽内へ収納する運搬車収納装置に関するものである。
【背景技術】
【０００２】
医療機関において、医療器具、手術衣、患者用衣服などの被滅菌物を滅菌する場合、被滅菌物を運搬車に積載し、この運搬車ごと被滅菌物を滅菌装置の滅菌槽に収納して滅菌作業を行っている。ここで、滅菌槽は一定の高さの床を有するために、滅菌槽の床面が滅菌装置を設置している部屋の床面よりも高くなっていることが多い。このため、運搬車を滅菌槽から出し入れする際には段差を乗り越えなければならず、作業が困難になる。特に、医療器具の滅菌においては、多くの器具を運搬車に積載するので総重量は１５０ｋｇにものぼり、一人の医療従事者が人力で段差を超えることは困難である。そこで、滅菌装置を設置する部分の床面を掘り下げることや、段差を緩和するスロープを設けることも考えられるが、建物の床を工事しなければならず実施は困難である。
【０００３】
上述の問題を解決するための技術が実公昭５５−５４０２号公報に記載されている。同公報に記載の運搬車収納装置においては、運搬車の車輪部を折りたたみ式の構造とするとともに、滅菌槽内の左右両壁には複数個の支持ローラが水平に配列されている。運搬車にもこの支持ローラに係合する部材が設けられており、運搬車を滅菌槽内に収容するときには運搬車は支持ローラによって支持されるとともに、車輪部は折りたたまれる。この支持ローラは運搬車を車輪で走行されているときの状態とほぼ同じ高さに支持する位置に設けられており、外部から滅菌槽内に運搬車が入る際に重心移動をほとんど行うことなく楽に作業が行える。また、運搬車を滅菌槽から取り出すときは、運搬車を支持ローラで支持した状態で車輪部を折りたたんだ状態から運搬車の重量を支えて走行できる状態へ移行させる。車輪部が走行状態に完全に移行したことを確認したら、さらに運搬車を引き出して車輪を接地させる。このようにして全ての車輪（通常は前後２対の４輪）を接地させたら取り出し作業は完了し、運搬車は目的の場所へと運ばれる。
【０００４】
また、特許文献２には、運搬車の傾き防止手段として滅菌槽の開口部外側に、支持体を設けることが記載されている。
【特許文献１】実公昭５５−５４０２号公報
【特許文献２】特開２００３−２２０８号公報
【発明の開示】
【発明が解決しようとする課題】
【０００５】
実公昭５５−５４０２号公報に記載された運搬車収納装置に係わる技術において、運搬車を滅菌槽から取り出す際において、運搬車が車輪によって走行できる状態に移行する前に運搬車の一部分が滅菌槽の外に出ており、支持ローラによって支持されていない状態が生じる。作業者はこの状態で、車輪部が完全に走行状態に移行しているのを確認しながら、運搬車のバランスを保って搬出作業を行うことになる。このような運搬車収納装置においては車輪部が走行状態へスムーズに移行するように十分考慮されて設計されており、さらに走行状態に移行したことを確認した上で車輪を接地するように作業手順やマニュアルも十分配慮されている。しかしながら、搬出作業時においても運搬車が傾斜しないように安定して支持されていれば、作業が行いやすくなり、今後益々安全性の向上が期待される医療現場等の要請にも合致する。特許文献２に記載の傾き防止手段によれば運搬車の取り出し作業中も運搬車は支持されているので、安全性はさらに向上する。しかし、ドアヒンジによって回転可能に取り付けられたスィング式の扉を有する運搬車収納装置においては、扉の開閉の妨げになるようなものを出入口の前におくことができない。この発明が解決しようとする課題は、スィング式の扉を有する運搬車収納装置においても、折りたたみ式の車輪部を有する運搬車を簡易な作業で安全に収納庫から取り出すことができる技術を提供することである。
【課題を解決するための手段】
【０００６】
この発明は、前記課題を解決するためになされたもので、請求項１に記載の発明は、折りたたみ可能な車輪部を有する運搬車を車輪部が折りたたまれた状態で収納し運搬車を出し入れするための開口部を有する収納槽と、収納槽の開口部に設けられた扉と、開口部近傍に設けられ運搬車の傾斜を防止する傾斜防止装置とを備え、前記傾斜防止装置は収納槽外へ突出して運搬車を支持する第一の位置と、収納槽内の第二の位置に移動可能なものであることを特徴とするものである。
【０００７】
請求項２に記載の発明は、運搬車に接触して運搬車の収納槽外への移動を妨げる停止装置と、前記停止装置と前記傾斜防止装置を連結する連結手段を有し、停止装置を解除するのに連動して前記傾斜防止装置が第二の位置から第一の位置に移動することを特徴とするものである。
【０００８】
さらに、請求項３に記載の発明は、折りたたみ可能な車輪部を有する運搬車を車輪部が折りたたまれた状態で収納し前記運搬車の積載物を滅菌処理し運搬車を出し入れするための開口部を有する収納槽と、収納槽の開口部に設けられた扉と、開口部近傍に設けられ運搬車の傾斜を防止する傾斜防止装置と、運搬車に接触して収納槽外への運搬車の移動を妨げる停止装置と、前記停止装置と前記傾斜防止装置を連結する連結手段を備え、前記傾斜防止装置は収納槽外へ突出して運搬車を支持する第一の位置と、収納槽内の第二の位置に移動可能なものであり、停止装置を解除するのに連動して前記傾斜防止装置が第二の位置から第一の位置に移動することを特徴とするものである。
【発明の効果】
【０００９】
この発明によれば、運搬車を運搬車収納装置の収納槽へ搬入する際、または収納槽から搬出する際に、収納槽の外の第一の位置にある傾斜防止手段が運搬車を支持するので、運搬車は傾斜することがなく、搬入・搬出作業を安全かつ容易に行うことができる。
【発明を実施するための最良の形態】
【００１０】
つぎに、この発明の実施の形態について説明する。図１はこの発明に係る運搬車収納装置の概要を示す断面説明図である。運搬車収納装置１は、運搬車２を収納する収納槽３を有するものであり、例えば蒸気やガスによって医療器具を滅菌する滅菌装置でもよく、また冷凍庫や貯蔵庫等でもよく、運搬車２に積載されたものを運搬車２ごと収納するものであればよい。収納槽３の開口部４にはドアヒンジ５により開閉可能な扉６が取り付けられている。ここでは片開きの扉を有する収納槽３を例に説明するが、両開きの扉であっても同様にこの発明を適用することができる。また、開口部４として入口と出口を兼ねたものが一つだけもうけられた例で以下説明するが、開口部が収納槽３の両側に設けられていて、一方が入口であり他方が出口であってもよく、さらに双方が出入口であってもよい。運搬車２は例えば医療器具等を載せることができるものであり、移動に便利なように複数の車輪部７が設けられている。ここで、運搬車２の車輪部７は折りたたみ式となっている。図１に示す例では搬出方向に対して前後各１対で、４輪の車輪部７を有している。        
【００１１】
収納槽３は箱型となっているが、床部８がある一定の厚さがあるために、運搬車収納装置１を設置した部屋の床面に対して収納槽３の床面（内底面）は高くなっている。収納槽３内には運搬車２を保持するための保持手段として複数の支持ローラ９，９，…を水平に設けている。一方、運搬車２の下部のフレーム１０が各支持ローラ９の上に接する高さに設けられている。図１は扉６が開かれていて運搬車２を収納槽３から搬出しようとしていてまだ右側部分が収納槽３の中に残った状態を示している。図１に示すように、下部のフレーム１０の右側部分は各支持ローラ９によって保持されており、図において右側の対の車輪部７（第一の車輪部の組）は、折りたたまれた状態になっていて、収納槽３内に収まっている。一方、下部のフレーム１０で図における左側部分は収納槽３の外に出ており支持ローラ９とは接していない。左側の対の車輪部７（第二の車輪部の組）は、既に収納槽３の外に出ており、折りたたんだ状態から走行状態に移行しているがまだ床面には接していない。
【００１２】
この発明の運搬車収納装置１は傾斜防止装置１１を備えている。運搬車２の搬入・搬出作業を行うときは実線で示すように支持部材１２が収納槽３の開口部４から外側へ突出する第一の位置にある。支持部材１２は、下部のフレーム１０に接しながら運搬車２を支持できるものであればよいが、摩擦を少なくし運搬車２の移動を容易にするために、支持ローラとすることが好ましい。したがって、支持部材１２が第一の位置でフレーム１０を支持するので運搬車２は安定しており、車輪部７は確実に走行状態に移行できるとともに、作業者は安全確認を行うことができる。
【００１３】
図１に示す状態からさらに左方向に運搬車２を移動させると、前記第一の車輪部の組が走行状態へ移行する。この移行時に、運搬車２の大部分は収納槽３の外側に出ており収納槽３の中の支持ローラ９，９，…はフレーム１０に接していない状態が生じる。この状態においても運搬車２は第一の位置にある支持部材１２によって支持されており安定している。前記第一の車輪部の組も完全に走行状態に移行したことを確認したら運搬車２をさらに左に移動し、運搬車２は完全に収納槽３から取り出される。支持部材１２は収納槽３の外側突出しているので運搬車が完全に収納槽から搬出されるまで運搬車２を支持しており、搬出作業は安全かつ容易に行われる。
【００１４】
運搬車２を収納槽３に搬入する際にも、支持部材１２は第一の位置にある。収納槽３の中に完全に搬入されるまでの間、フレーム１０のうちで収納槽３の内部に入っている部分は支持ローラ９，９，…により支持されているが、収納槽３の外にある部分は支持ローラ９，９，…に接していない。このときも、運搬車２の左側の部分は支持部材１２により支持されており、搬入作業も安全に行われる。
【００１５】
運搬車２の搬出または搬入を開始する際には扉６を開く必要があり、また運搬車２の搬出または搬入が完了すると、扉６は閉じられ収納槽３は密閉される。ここで図１の実線に示すように支持部材１２が第一の位置にあると、扉６は支持部材１２と接触し、開閉を行うことができない。しかしながらこの発明においては、支持部材１２は収納槽３内の第二の位置に移動可能になっている。扉６を開閉するときには図１の点線で示すように支持部材１２は第二の位置に移動するように構成している。したがって、支持部材１２は、扉６に接触することがなく、開閉作業を妨げることがない。そして、扉６が閉じられているときは支持部材１２は収納槽３の内部にあるので、出入口近くでの作業や通行の邪魔にならない。すなわち、支持部材１２は扉を閉めた時には収納槽３内にあり、運搬車２の出し入れ時は収納槽３外に出る様に構成されている。
【００１６】
この傾斜防止装置１１は、開口部４の両側、すなわち、図１において手前側と奥側の２箇所に対に設けて運搬車２をより安定に支持できるようにすることが好ましいが、どちらか一方に設けても運搬車２を支持する際の安定性は向上する。
【実施例】
【００１７】
以下、この発明の第一実施例を図面に基づいて詳細に説明する。この第一実施例は、この発明を医療器具の蒸気滅菌装置に適用した例であり、基本的な構成は図１および上述の説明で示したとおりである。すなわち、この第一実施例では運搬車２は医療器具、手術衣、患者用衣服等を積載して運搬する台車であり、運搬車収納装置１は、積載物を運搬車ごと滅菌処理する滅菌装置である。片開きまたは両開きの扉６がドアヒンジ５を介して収納槽３の出入口に設けられており、運搬車２を収納槽３内に収納したときに扉６を閉めて密閉し、高温・高圧の蒸気を収納槽３内に供給して積載物の滅菌を行う。
【００１８】
図２は、第一実施例における傾斜防止装置１１の概略説明図である。前記第一の位置と前記第二の位置とを選択して移動する傾斜防止装置１１は、支持部材１２と、支持部材を移動自在とするための取付け部材１３、レール１４を備える。支持部材１２は、回転自在の支持ローラからなり、フレーム１０に接しながら運搬車２を支持するとともに、運搬車２の移動を容易にしている。また、支持部材１２は、レール１４に沿って移動可能な取り付け部材１３に設けられている。図２は、支持部材１２が前記第一の位置にある状態を示す。レール１４は収納槽３内の壁面で開口部４近傍に設けられている。さらに、支持部材１２は、圧縮バネ等の付勢手段１５により同図の左方向へ付勢されて収納槽３の外側へ突出しているが、取り付け部材１３に設けられた突起部１６が第一のストッパー１７に当たる位置で止まっており、この位置を第一の位置とする。運搬車２を搬入・搬出する作業中、収納槽３の外に出ている部分にて運搬車２を第一の位置にある支持部材１２が支えることにより運搬車２が傾斜することを防止し、作業を安全かつ容易にする。
【００１９】
図３は支持部材１２が収納槽３の内の前記第二の位置にある状態を示す。この実施例においては、前記第二の位置にて支持手段を保持するための係止手段として第二のストッパー１８を備えている。この第二のストッパー１８は突起部１６と係合しているため、取付部材１３は左に移動できなくなっている。支持部材１２は収納槽３の中に納まっているので扉６の開閉を妨げない。また、扉６を閉めているときも支持部材１２は第二の位置にあるので、収納槽３の出入口近傍で作業する者の妨げとならない。
【００２０】
図４は、傾斜防止装置の正面の概要説明図である。図５は、運搬車収納装置の出入口付近の一部断面の概要説明図である。収納槽３から運搬車２を搬出する際には支持部材１２を第二の位置から第一の位置に移動させる。第二のストッパー１８を引き上げて突起部１６との係合を解除することにより支持部材１２は第一の位置へ移動できるようになる。図４において、第二のストッパー１８は点線で示す状態では突起部１６と係合する高さにあるが、実線で示す高さに引き上げることにより突起部１６と係合しなくなる。第二のストッパー１８を上下動させる機構を単独で設けてもよいが、この第一実施例においては、図５に示すように第二のストッパー１８を運搬車２の移動を禁止する停止装置１９に連動させている。停止装置１９は、接触部材２０を有し、接触部材２０が実線の位置にあるときに運搬車２と接触するので、運搬車２は左側に移動することができない。このため扉６が閉まっているときや、作業者が扉６を開けた直後に運搬車２が移動することが防止される。扉６を開き運搬車２を左に移動させるときに、作業者は接触部材２０を図上の点線で示す位置へ移動させて停止装置２０による移動禁止を解除する。この第一実施例では連結手段２１によりこの接触部材２０と第二のストッパー１８は連結されており、接触部材２０の上昇に連動して第二のストッパー１８も上昇して係合が解除される。運搬車２の搬入・搬出を終えるときには、支持部材１２を手動により押し込んで第一の位置から第二の位置に移動させ、第二のストッパー１８を降ろして支持部材１２を第二の位置に固定する。
【００２１】
傾斜防止装置の第二実施例を図６、図７に基づいて説明する。図６は、傾斜防止装置１１を側面から見た概略説明図である。図７は、正面図から見た概略説明図である。取り付け部材であるアーム２２は、支持軸２３を介して回転自在に収納槽３の壁面に設けられている。アーム２２の先端部には支持部材１２として支持ローラが設けられている。運搬車２の搬入・搬出を行う際にはアーム２２は実線で示すように水平な状態にされる。このとき支持部材２２は収納槽３の外側に突出した第一の位置にあり、フレーム１０に接しながら運搬車２の左側の部分を支持することができる。扉６の開閉時および扉６を閉じているときは、図６の点線で示すようにアーム２２を垂直に立てる。このとき支持部材２２は収納槽３内の第二の位置にあり、扉６の開閉を妨げないようになっている。アーム２２は、図示しない付勢手段で図６で示す反時計回りに付勢されているが、アーム２２に設けられた突起部１６がストッパー２４と係合しているため、第二の位置にとどまる。
【００２２】
図６において収納槽３の出入口近傍上部には、運搬車２の移動を禁止する停止装置１９が設けられている。この停止装置１９に設けられた接触部材２０は、例えばＬ型の棒材で、棒状の回転軸２０ａおよびこの回転軸２０ａの一端から伸びた同じく棒状の回転部２０ｂよりなる。回転軸２０ａが回転自在に収納槽３の壁面に取付けられており、この回転軸２０ａを中心に回転部２０ｂが回転する。接触部材２０の回転部２０ｂを水平な状態にすると運搬車２に接触するようになり、運搬車２を移動できないようにする。接触部材２０の回転部２０ｂを垂直にすると運搬車２とは接触しない状態になる。この第二実施例では、連結手段２１の先端部がストッパー２４として形成されている。接触部材２０の回転部２０ｂを水平にしたときにはストッパー２４は突起部１６に接触しているのでアーム２２は垂直になって、支持部材１２は第二の位置にある。接触部材２０の回転部２０ｂを垂直にしたときはストッパー２４と突起部１６との係合が解除されアーム２２は水平となって、支持部材１２は第一の位置へ移動する。
【００２３】
つぎに、図８に車輪部７の詳細を示す。運搬車２の下部のフレーム１０の前部と後部に基板部材２５が設けられている。車輪部７は、基板部材２５に対して固定されている固定部２６と、固定部２６に設けられた第一の支持軸２７を介して回転可能に取り付けられた可動部２８を有する。可動部２８の先端には車輪２９が設けられている。また、可動部２８には第二の支持軸３０を介して係止爪部材３１が回転自在に取り付けられている。係止爪部材３１には第一溝部３２と第二溝部３３が設けられており、一方、固定部２６には前記２つの溝部３２，３３に係合できるピン３４が設けられている。図８は車輪部７が走行状態であることを示しているが、この状態において第一溝部３２とピン３４が係合している。したがって、この状態で可動部２８を第一の支持軸２７に対して時計回りに回転させようとしても係止爪部材３１によって回転は妨げられ、折りたたみ状態に移行することはない。また、図示しないストッパーにより可動部２８は図８の状態よりもさらに反時計回りに回転することはできないようになっている。この車輪部７は、運搬車の進行方向に対して前後左右に設けられている。
【００２４】
可動部２８は図示しない付勢手段よって反時計回り方向に付勢されている。従って、運搬車２の搬出時で、車輪部７が収納槽３の外に出たときに自動的に走行状態に移行する。作業者は、前記両実施例において、一度運搬車２の移動を停止して、車輪部７が確実に走行状態に移行し固定されたことを確認した上でさらに運搬車２を図１の左方向へ移動させて車輪２９を接地させる。このとき、運搬車２の左部分は収納槽３の外にあり支持ローラ９，９，…によっては支持されていないが、第一の位置にある支持部材１２により支持されており、運搬車は傾斜することがないので車輪部７の確認および運搬車２の取り出しが最後まで安全かつ容易に行われる。また、停止装置１９と連動して支持部材１２を第一の位置へ移動させることができるのでより安全である。
【００２５】
運搬車２を収納槽３内に搬入する際には、車輪部７は折りたたみ状態に移行する。ここで、図８に示す車輪部７の例においては、第一溝部３２とピン３４が係合しているので、車輪部７が走行状態に移行するにはこの係合を解除する手段が必要になる。図１に示す衝合片３５はこの解除手段の例である。係止爪部材３１の端部付近には棒材３６が設けられており、対をなすもう一つの車輪部の係止爪部材の端部付近と連結されており、さらにこの棒材３６の中央部には衝合片３５と当接する当接部材（図示せず）が設けられてある。運搬車２が収納槽３へ搬入される際に、この当接部材が衝合片３５と当接することにより棒材３６が持ち上げられ、これによって係止爪部材３１が持ち上げられ、第一溝部３２がピン３４から解除される。このようにして車輪部７が折りたたみ状態へ移行する際にも運搬車２は第一の位置にある支持部材１２により支持されており、運搬車２は傾斜することがないので搬入作業は安全に行われる。なお、前記車輪部７の構造と折りたたみ状態移行および走行状態移行のための構成は、特許文献２に記載のものと同じである。
【図面の簡単な説明】
【００２６】
【図１】この発明の運搬車収納装置の一部断面の概要説明図である。
【図２】傾斜防止装置の第一実施例で支持部材が第一の位置にある状態を示す側面の概要説明図である。
【図３】第二の位置にある状態の支持部材を示す概要説明図である。
【図４】傾斜防止装置の正面の概要説明図である。
【図５】この発明の運搬車収納装置の出入口付近の一部断面の概要説明図である。
【図６】傾斜防止装置の第二実施例を示す側面の一部断面の概要説明図である。
【図７】傾斜防止装置の第二実施例を示す正面の概要説明図である。
【図８】走行状態の車輪部の概要説明図である。
【符号の説明】
【００２７】
１  運搬車収納装置  (滅菌装置)
２  運搬車  (台車)
３  収納槽
４  開口部
６  扉
７  車輪部
９  支持ローラ
１１  傾斜防止装置
１２  支持部材
１９  停止装置
２１  連結手段
【図１】
2005022635.tif 000003
【図２】
2005022635.tif 000004
【図３】
2005022635.tif 000005
【図４】
2005022635.tif 000006
【図５】
2005022635.tif 000007
【図６】
2005022635.tif 000008
【図７】
2005022635.tif 000009
【図８】
2005022635.tif 000010